(57)【要約】      （修正有）【課題】靴底の汚れを能率よく除去する靴底清掃用ブラシを提供する。【解決手段】棒体形状の柄１を設けるとともに、柄１の一端下面にブラシ体５を植設し、柄５の上面適所に発泡体６を設ける。【選択図】図６
0003191350.tif 000002
【実用新案登録請求の範囲】
【請求項１】
棒体形状の柄を設けるとともに、該柄の一端下面にブラシ体を植設し、柄上面適所に発泡体を設けたことを特徴とする靴底清掃用ブラシ。
【請求項２】
柄を握持部と斜設部および植毛部を一体形成により設けるとともに、握持部と植毛部を平行に形成してなる請求項１記載の靴底清掃用ブラシ。
【請求項３】
発泡体を準軟質発泡体と軟質発泡体とを積層固着により形成してなる請求項１または２記載の靴底清掃用ブラシ。
【請求項４】
柄の一端に雪落とし用板体を設けてなる請求項１から３のいずれかの項に記載の靴底清掃用ブラシ。
【考案の詳細な説明】
【技術分野】
【０００１】  この考案は、靴底に付着した雪や泥等を清掃するためのブラシに関する。
【背景技術】
【０００２】  従来より、種々の清掃用ブラシが使われているが、本案に示すように靴底専用のブラシは見あたらない。
【考案の概要】
【考案が解決しようとする課題】
【０００３】  冬季降雪地域では積雪に対する種々の対策が講じられており、道路上の除排雪とともに車（自動車）の通行に関連して、冬季用のタイヤいわゆるスタッドレスタイヤを用いることとなる。車に乗り込むとき、靴底に付着した雪が靴とともに車内に持ち込まれると、この雪が運転席等の床面に落ち、車内暖気にて溶ける。降車後の車内は放置にて気温が低下し、ときには凍りつくこともあってこの氷による靴底の滑りにて再運転時に支障となることがあって危険である。また、冬季といっても日中はプラス温度になる時期もあり、ドア開閉部近傍の車体に汚れが付着したり、タイヤ近傍の車体に雪が塊となって付着することが多くあるが、このようなときに対処しうる好適な手段が見あたらないのが現状である。
本案は以上に鑑み、靴底付着雪の乗車前除去と車体清掃および車体付着雪塊の除去に有効なる手段としての新規かつ有用なる物品を提供することを目的として考案されたものである。
【課題を解決するための手段】
【０００４】  課題を解決する手段として本案は以下の構成とした。
すなわち、棒体形状の柄を設けるとともに、該柄の一端下面にブラシ体を植設し、柄上面適所に発泡体を設ける。本案は以上の構成よりなる靴底清掃用ブラシである。
【考案の効果】
【０００５】  本案は下記の効果を有する。
１．柄端にブラシを設け、ブラシと反対側の柄面に発泡体を設けたので、靴底の雪や泥等  の汚れをブラッシングにて除去するとともに、発泡体にて靴底以外の靴外面や車体外面  の清掃を行うことができる。
２．柄に斜設部を設けることにより、ブラシ体端と柄を握った手との距離を発生させて、  楽に汚れ除去作業を行うことができる。
３．発泡体を軟質発泡体と準軟質発泡体の積層にて形成したので、発泡体の形状保持性が  増加し、また、柄に対する発泡体の取付を、結束体を用いて行うことができる。
４．柄端に雪落とし用板を設けることにて、車体等に付着した雪塊を容易に除去すること  ができる。
【図面の簡単な説明】
【０００６】
【図１】  本考案の平面図
【図２】  本考案の正面図
【図３】  本考案他例の平面図
【図４】  本考案他例の正面図
【図５】  本考案他例の要部底面図
【図６】  本考案の使用説明図（靴底に使用時）
【図７】  本考案の使用説明図（車体に使用時）
【図８】  本考案の他例説明図（車体に使用時・模式的表現）
【考案を実施するための最良の形態】
【０００７】  以下、本考案の実施形態について説明する。
図において、１は柄である。２は柄の主部をなす握持部で、断面略角形の棒体であり、その左方は細く斜方に下降する斜設部３に形成され、該斜設部左方は折曲されて平面視略円板形の植毛部４に形成される。柄は以上の三部分が一体に形成されており、握持部上面と植毛部上面はほぼ並行である。５はブラシ体であって適度の弾力を有する細棒状合成樹脂の集合体であり、植毛部下面に下向き放射状に植設され、それらの下端集合全体は曲面状である。６は合成樹脂による発泡体である。この発泡体は柄への非装着時は直方体形状を有し、その下部は準軟質発泡体７であり、その上により厚く柔らかな軟質発泡体８（通称スポンジ）が一体固着されている。この発泡体は図２および図４にて示すように、植毛部上面から斜設部上面にかけて接着や結束体９などにより取り付けられる。１０は本品を吊下保存するための鈎型のフック部で、握持部右端に該握持部と一体に形成される。【０００８】  本案の使用に際しては、握持部を握り、ブラシ体を靴底面に押し当てて往復動させて靴底の汚れを除去することができる。また、図７にて示すように、発泡体を車体面などに押し当てて動かすことにて車体汚れを除去することができる。
図３〜図５は本案の他例を示すものである。図において、２０は雪落とし用板体で、平面視略三角形状の金属板であり、その左端は細長く伸びた舌片部２１を有し、右端中央には小三角形の突起部２２を有している。柄の下部には所定巾深さの溝部２３が形成されて、この溝部内に上記舌片部が挿入固着される。本例は、雪塊の除去用として雪落とし用板体を柄の右方に設けたもので、該板体端にて雪塊を掻き落とすことができる。【０００９】  以上、本案について記したが、本案はブラシによる靴底汚れ除去と発泡体による拭き取りでの汚れ落としの双方の機能を有するものである。
降雪時や積雪時に車に乗り込むとき、靴底の雪を除去する適切な手段がなく、乗車前に双方の靴を当てたたいたりして雪を落とす程度であったが、本案の使用にてきれいに靴底の雪を落として乗車することができる。本案ではブラシ体と握り柄との平行距離があるために、雪落とし作業中に柄を握った手が靴底に触れることはない。ブラシ体は曲面状集合端を有しており、靴底に対しての押圧効果を高めることができる。
発泡体は、既述のように準軟質と軟質を積層固着して形成されており、作業面は軟質が使われる。そのために、発泡体の形状保持が保たれるとともに、結束体を用いて柄に発泡体を取り付けることが可能である。この結束体は市販品であり、発泡体に設けた孔を介して取り付けられる。【００１０】  また、本案の他例では雪落とし用板体を設けたので、タイヤ近傍の車体に付着した雪塊をつつき落とすことができるが、固い場合には最初に突起部で突くなどして落とすことができる。図８で示したのは作業を模式的に表したものであり、図示以外の種々の方向による作業ができる。なお、本案で用いた軟質発泡体は指で軽く押圧するだけで大きく変形する程度の柔らかさを有する吸水性発泡体であり、準軟質発泡体は、上記軟質発泡体より硬いが指で強めの押圧にて変形する程度の発泡体である。以上説明したように、本案は乗車前の靴底の除雪、車体の汚れ、タイヤ近傍車体に付着した雪塊の除去に有効であり、雪以外の泥汚れなどにも役立つ有用なる物品を提供し得るものである。
【符号の説明】
【００１１】  １  柄
２  握持部
３  斜設部
４  植毛部
５  ブラシ体
６  発泡体
７  準軟質発泡体
８  軟質発泡体
９  結束体
１０  フック部
２０  雪落とし用板体
２１  舌片部
２２  突起部
２３  溝部
３０  靴
３１  車体
３２  タイヤ近傍車体
【図１】
0003191350.tif 000003
【図２】
0003191350.tif 000004
【図３】
0003191350.tif 000005
【図４】
0003191350.tif 000006
【図５】
0003191350.tif 000007
【図６】
0003191350.tif 000008
【図７】
0003191350.tif 000009
【図８】
0003191350.tif 000010